(57)【要約】【課題】条件の設定における操作性を向上させることができる医用画像診断装置及び表示装置を提供すること。【解決手段】実施形態の医用画像診断装置は、表示制御部と、受付部と、決定部とを備える。表示制御部は、項目ごとの条件値と、前記項目ごとに予め複数設定された設定値を表示する表示領域とを表示させる。受付部は、前記項目を指定する指定操作と連続して、前記表示領域の前記設定値に対する第１のスライド操作により複数の前記設定値のうちいずれかを選択する選択操作を受け付け、前記第１のスライド操作と連続した第２のスライド操作により前記選択操作によって選択された前記設定値を調整する調整操作を受け付ける。決定部は、前記第２のスライド操作の終了により、前記指定操作により指定された前記項目の条件値を前記調整操作による調整後の前記設定値に決定する。【選択図】図２
2018033552.tif 000002
【特許請求の範囲】
【請求項１】
項目ごとの条件値と、前記項目ごとに予め複数設定された設定値を表示する表示領域とを表示させる表示制御部と、
前記項目を指定する指定操作と連続して、前記表示領域の前記設定値に対する第１のスライド操作により複数の前記設定値のうちいずれかを選択する選択操作を受け付け、前記第１のスライド操作と連続した第２のスライド操作により前記選択操作によって選択された前記設定値を調整する調整操作を受け付ける受付部と、
前記第２のスライド操作の終了により、前記指定操作により指定された前記項目の条件値を前記調整操作による調整後の前記設定値に決定する決定部と、
を備える、医用画像診断装置。
【請求項２】
前記表示制御部は、前記指定操作を受け付けた場合に、当該指定操作により指定された前記項目について予め複数設定された前記設定値を表示する前記表示領域を表示させる、請求項１に記載の医用画像診断装置。
【請求項３】
前記表示領域は、円環の形状の領域であり、
前記第１のスライド操作は、前記表示領域に囲まれた領域から前記表示領域の前記設定値に対するスライド操作である、請求項１又は２に記載の医用画像診断装置。
【請求項４】
前記表示制御部は、操作者による視認性に応じた配置で前記設定値を表示させる、請求項１乃至３のいずれか一項に記載の医用画像診断装置。
【請求項５】
前記表示制御部は、前記指定操作により指定された前記項目の条件値に応じた配置で前記設定値を表示させる、請求項１乃至４のいずれか一項に記載の医用画像診断装置。
【請求項６】
前記設定値は、前記項目ごとに設定されている条件の内容に基づいて設定される、請求項１乃至５のいずれか一項に記載の医用画像診断装置。
【請求項７】
前記表示制御部は、更に、前記指定操作によって指定された前記項目の条件値を変更する変更操作を受け付けるための変更領域を表示させ、
前記受付部は、更に、前記指定操作と連続して、前記変更領域における第３のスライド操作により前記指定操作によって選択された前記項目の条件値を変更する変更操作を受け付ける、請求項１乃至６のいずれか一項に記載の医用画像診断装置。
【請求項８】
前記変更領域は、円環の形状の領域であり、
前記表示領域は、前記変更領域を囲む円環の形状の領域である、請求項７に記載の医用画像診断装置。
【請求項９】
前記受付部は、更に、前記項目ごとの条件値に対するフリック操作により、当該フリック操作の対象となった項目の条件値を変更する変更操作を受け付ける、請求項１乃至８のいずれか一項に記載の医用画像診断装置。
【請求項１０】
項目ごとの条件値と、前記項目ごとに予め複数設定された設定値を表示する表示領域とを表示させる表示制御部と、
前記項目を指定する指定操作と連続して、前記表示領域の前記設定値に対する第１のスライド操作により複数の前記設定値のうちいずれかを選択する選択操作を受け付け、前記第１のスライド操作と連続した第２のスライド操作により前記選択操作によって選択された前記設定値を調整する調整操作を受け付ける受付部と、
前記第２のスライド操作の終了により、前記指定操作により指定された前記項目の条件値を前記調整操作による調整後の前記設定値に決定する決定部と、
を備える、表示装置。
【発明の詳細な説明】
【技術分野】
【０００１】
本発明の実施形態は、医用画像診断装置及び表示装置に関する。
【背景技術】
【０００２】
医用画像診断装置を用いた検査においては、患者情報（被検体の年齢や体型等）に応じた収集条件で医用画像データが収集される。ここで、医用画像データの収集条件は、例えば、患者情報を参照した操作者により設定される。一例を挙げると、Ｘ線診断装置を用いた検査におけるＸ線画像の撮影条件は、Ｘ線診断装置が備えるコンソール上で操作者により設定される。また、患者情報を管理するワークステーション等とＸ線診断装置とが連携し、患者情報に基づいて収集条件が自動設定される場合においても、自動設定された収集条件は、操作者の判断において変更される場合がある。
【先行技術文献】
【特許文献】
【０００３】
【特許文献１】特開２０１５−１１６３６５号公報
【特許文献２】特表２０１５−５２３６４１号公報
【特許文献３】特開２０１６−１０５５８６号公報
【特許文献４】特開２０１４−２０８２５８号公報
【発明の概要】
【発明が解決しようとする課題】
【０００４】
本発明が解決しようとする課題は、条件の設定における操作性を向上させることができる医用画像診断装置及び表示装置を提供することである。
【課題を解決するための手段】
【０００５】
実施形態の医用画像診断装置は、表示制御部と、受付部と、決定部とを備える。表示制御部は、項目ごとの条件値と、前記項目ごとに予め複数設定された設定値を表示する表示領域とを表示させる。受付部は、前記項目を指定する指定操作と連続して、前記表示領域の前記設定値に対する第１のスライド操作により複数の前記設定値のうちいずれかを選択する選択操作を受け付け、前記第１のスライド操作と連続した第２のスライド操作により前記選択操作によって選択された前記設定値を調整する調整操作を受け付ける。決定部は、前記第２のスライド操作の終了により、前記指定操作により指定された前記項目の条件値を前記調整操作による調整後の前記設定値に決定する。
【図面の簡単な説明】
【０００６】
【図１】図１は、第１の実施形態に係るＸ線診断装置の一例を示す図である。
【図２】図２は、第１の実施形態に係るＸ線診断装置の構成の一例を示すブロック図である。
【図３】図３は、第１の実施形態に係る条件値の表示について説明するための図である。
【図４Ａ】図４Ａは、第１の実施形態に係る条件値の設定について説明するための図である。
【図４Ｂ】図４Ｂは、第１の実施形態に係る条件値の設定について説明するための図である。
【図４Ｃ】図４Ｃは、第１の実施形態に係る条件値の設定について説明するための図である。
【図４Ｄ】図４Ｄは、第１の実施形態に係る条件値の設定について説明するための図である。
【図４Ｅ】図４Ｅは、第１の実施形態に係る条件値の設定について説明するための図である。
【図４Ｆ】図４Ｆは、第１の実施形態に係る条件値の設定について説明するための図である。
【図５】図５は、第１の実施形態に係るＸ線診断装置の処理の一連の流れを説明するためのフローチャートである。
【図６Ａ】図６Ａは、第２の実施形態に係る表示領域及び変更領域について説明するための図である。
【図６Ｂ】図６Ｂは、第２の実施形態に係る表示領域及び変更領域について説明するための図である。
【図７Ａ】図７Ａは、第２の実施形態に係る変更領域について説明するための図である。
【図７Ｂ】図７Ｂは、第２の実施形態に係る変更領域について説明するための図である。
【図７Ｃ】図７Ｃは、第２の実施形態に係る変更領域について説明するための図である。
【図８Ａ】図８Ａは、第２の実施形態に係る表示領域について説明するための図である。
【図８Ｂ】図８Ｂは、第２の実施形態に係る表示領域について説明するための図である。
【図８Ｃ】図８Ｃは、第２の実施形態に係る表示領域について説明するための図である。
【図９】図９は、第２の実施形態に係るＸ線診断装置の処理の一連の流れを説明するためのフローチャートである。
【図１０Ａ】図１０Ａは、第３の実施形態に係るフリック操作について説明するための図である。
【図１０Ｂ】図１０Ｂは、第３の実施形態に係るフリック操作について説明するための図である。
【図１１】図１１は、第５の実施形態に係る表示領域について説明するための図である。
【発明を実施するための形態】
【０００７】
以下、図面を参照して、実施形態に係る医用画像診断装置を説明する。なお、以下では、実施形態に係る医用画像診断装置がＸ線診断装置である場合を一例として説明する。また、以下では、医用画像データの収集条件（特に、管電流や管電圧、Ｘ線照射時間等の撮影条件）を設定する場合を一例として説明する。
【０００８】
（第１の実施形態）
まず、図１を用いて第１の実施形態に係るＸ線診断装置の一例を説明する。図１は、第１の実施形態に係るＸ線診断装置の一例を示す図である。図１に示すように、第１の実施形態に係るＸ線診断装置は、Ｘ線管、Ｘ線可動絞り、Ｘ線管保持装置、Ｘ線検出器、立位撮影台、臥位撮影台、コンソールなどを備える。また、第１の実施形態に係るＸ線診断装置が備えるＸ線管、Ｘ線可動絞り、Ｘ線管保持装置、Ｘ線検出器、立位撮影台、臥位撮影台は検査室に配置され、コンソールは操作室に配置される。なお、以下では、検査室に配置されるＸ線管、Ｘ線可動絞り、Ｘ線管保持装置、Ｘ線検出器、立位撮影台、臥位撮影台等を撮影系とも記載する。図１に示すように、検査室に配置される撮影系と、操作室に配置されるコンソールとは相互に接続される。
【０００９】
図１に示すＸ線管は、図示しない高電圧発生器から供給された高電圧を用いてＸ線を曝射する。また、Ｘ線可動絞りは、被検体に対する被曝線量の低減や画像データの画質向上を目的として、Ｘ線の照射野を制御する。Ｘ線管保持装置は、Ｘ線管及びＸ線可動絞りをアームにより保持し、アームを駆動させることで、Ｘ線管及びＸ線可動絞りの位置を撮影位置や退避位置等に移動させる。ここで、Ｘ線管保持装置は天井走行式であり、天井面に敷設されたレール上を走行することで、Ｘ線管及びＸ線可動絞りの位置を移動させることもできる。
【００１０】
また、Ｘ線検出器は、被検体を透過したＸ線情報を画像データに変換し、操作室のコンソールに送信する。ここで、Ｘ線検出器は、図１に示すように、立位撮影台や臥位撮影台に設置される。立位撮影台は、一端がレールと連結されたアームによりＸ線検出器を保持し、アームをレール上で移動することにより、Ｘ線検出器を上下にスライドすることができる。また、臥位撮影台は被検体を載置する天板を備え、天板の下部にＸ線検出器が載置される。
【００１１】
ここで、図１に示すコンソールは、撮影条件の設定や管理、画像データの収集を行うシステムと、画像処理や表示、管理を行うシステムとを統合した１台のコンソールである。例えば、撮影条件の設定や管理、画像データの収集を行うコンソールと、画像処理や表示、管理を行うワークステーションとの２台を設置する場合、その分のスペースが求められる。第１の実施形態では、１台のコンソールにシステムを統合することで、スペースを削減することができる。なお、これは一例であり、撮影条件の設定や管理、画像データの収集を行うコンソールと、画像処理や表示、管理を行うワークステーションとの２台を設置する場合でもよい。
【００１２】
例えば、コンソールは、検査室の各装置について設定されている撮影条件を取得し、取得した撮影条件をディスプレイに表示して、操作者に提示する。また、コンソールは、撮影条件を参照した操作者から、撮影条件の設定を受け付ける。また、コンソールは、操作者により設定された撮影条件を検査室の各装置に通知する。なお、この点については後に詳述する。
【００１３】
また、コンソールは、検査室の各装置を制御することで撮影を実行し、画像データを収集する。例えば、図１に示すＸ線診断装置は、立位撮影台の前に立った状態の被検体に対してＸ線管からＸ線を曝射し、被検体を透過したＸ線を、立位撮影台に設置されたＸ線検出器により検出することで、立位での撮影を実行する。また、例えば、図１に示すＸ線診断装置は、臥位撮影台が備える天板上に載置された状態の被検体に対してＸ線管からＸ線を曝射し、被検体を透過したＸ線を、臥位撮影台に設置されたＸ線検出器により検出することで、臥位での撮影を実行する。また、コンソールは、収集した画像データに対して、プリセットされた画像処理を実行する。また、コンソールは、マウスやキーボード等からの操作により、画像処理の変更、ワークフローの操作を行う。また、コンソールは、画像をディスプレイに表示したり、画像の一時保管、転送を行ったりする。
【００１４】
次に、図２を用いて、第１の実施形態に係るＸ線診断装置１の構成の一例を説明する。図２は、第１の実施形態に係るＸ線診断装置１の構成の一例を示すブロック図である。図２に示すように、第１の実施形態に係るＸ線診断装置１は、高電圧発生器１０１と、Ｘ線管１０２と、Ｘ線可動絞り１０３と、Ｘ線検出器１０４と、Ｘ線制御回路１０５と、絞り制御回路１０６と、ディスプレイ１０７と、入力回路１０８と、記憶回路１０９と、処理回路１１０とを備える。なお、ディスプレイ１０７と、入力回路１０８と、記憶回路１０９と、処理回路１１０は、例えば、図１に示すコンソールに含まれる。
【００１５】
高電圧発生器１０１はＸ線管１０２に高電圧を供給し、Ｘ線管１０２は供給された高電圧を用いてＸ線を曝射する。Ｘ線可動絞り１０３は、Ｘ線管１０２から曝射されるＸ線の照射領域を制御する。ここで、Ｘ線管１０２及びＸ線可動絞り１０３は、例えば、図１に示すＸ線管保持装置により支持され、Ｘ線管保持装置は、処理回路１１０による制御のもと、Ｘ線管１０２及びＸ線可動絞り１０３の位置を移動させる。
【００１６】
Ｘ線検出器１０４は、被検体Ｐを透過したＸ線を検出する。例えば、Ｘ線検出器１０４は、マトリックス状に配列された検出素子を有する。各検出素子は、被検体Ｐを透過したＸ線を電気信号に変換して蓄積し、蓄積した電気信号を処理回路１１０に送信する。ここで、Ｘ線検出器１０４は、撮影における被検体Ｐの体位に応じて立位撮影台及び臥位撮影台のいずれかに設置される場合であってもよく、立位撮影台及び臥位撮影台の双方にそれぞれ設置される場合であってもよい。
【００１７】
Ｘ線制御回路１０５は、高電圧発生器１０１に高電圧を発生させ、発生させた高電圧をＸ線管１０２に供給させることで、被検体Ｐに対するＸ線の曝射を制御する。ここで、Ｘ線制御回路１０５は、処理回路１１０から通知された撮影条件に従って、高電圧発生器１０１の印加電圧、印加時間、印加タイミングなどを制御し、Ｘ線管１０２の管電流、管電圧、Ｘ線照射時間などの撮影条件を制御する。絞り制御回路１０６は、Ｘ線可動絞り１０３が有する絞り羽根の開度を調整し、Ｘ線管１０２から照射されるＸ線の照射範囲を制御する。
【００１８】
ディスプレイ１０７は、撮影条件を表示する。例えば、ディスプレイ１０７は、処理回路１１０による制御の下、項目ごとに設定されている撮影条件を表示する。なお、以下では、項目ごとに設定されている撮影条件のうち、管電流や管電圧、Ｘ線照射時間など、数値で表現される項目について設定されている撮影条件を、条件値とも記載する。また、ディスプレイ１０７が表示する撮影条件については後に詳述する。
【００１９】
また、ディスプレイ１０７は、操作者の指示を受け付けるためのＧＵＩ（Graphical  User  Interface）を表示する。例えば、ディスプレイ１０７は、管電流や管電圧、Ｘ線照射時間などの項目ごとに予め複数設定された設定値（以下、プリセット値とも記載する）を表示する表示領域を表示する。なお、表示領域及びプリセット値については後に詳述する。また、ディスプレイ１０７は、Ｘ線診断装置１によって生成された画像を表示する。
【００２０】
入力回路１０８は、Ｘ線診断装置１を操作する操作者から各種指示を受け付ける。例えば、入力回路１０８は、マウス、キーボード、ボタン、トラックボール、ジョイスティック、タッチパネルなどを有し、操作者から受け付けた入力操作を電気信号に変換して処理回路１１０に出力する。例えば、入力回路１０８は、ディスプレイ１０７が表示する撮影条件を参照した操作者から、撮影条件を設定するための入力操作を受け付ける。
【００２１】
なお、以下では、ディスプレイ１０７がタッチパネルであり、入力回路１０８がディスプレイ１０７を有する場合を一例として説明する。かかる場合、入力回路１０８は、ディスプレイ１０７に対して行われたタップ操作、長押し操作、ピンチ操作、スワイプ操作、フリック操作等を検出することにより、操作者からの各種指示を受け付ける。以下では、入力回路１０８に対する入力操作を行うため、操作者が指でディスプレイ１０７の画面に触れる場合を一例として説明する。
【００２２】
記憶回路１０９は、処理回路１１０がＸ線診断装置１による処理の全体を制御する際に用いるデータを記憶する。例えば、記憶回路１０９は、図２に示す各回路によって実行されるプログラムを記憶する。また、記憶回路１０９は、項目ごとに複数設定されたプリセット値を記憶する。なお、プリセット値については後に詳述する。
【００２３】
処理回路１１０は、制御機能１１０ａ、表示制御機能１１０ｂ、受付機能１１０ｃ及び決定機能１１０ｄを実行することで、Ｘ線診断装置１全体の動作を制御する。例えば、処理回路１１０は、制御機能１１０ａ、表示制御機能１１０ｂ、受付機能１１０ｃ及び決定機能１１０ｄに対応するプログラムを記憶回路１０９から読み出して実行することにより、撮影条件を設定する。また、例えば、処理回路１１０は、制御機能１１０ａに対応するプログラムを記憶回路１０９から読み出して実行することにより、被検体Ｐに対する撮影を制御する。なお、処理回路１１０による撮影条件の設定については後に詳述する。
【００２４】
ここで、図２に示すＸ線診断装置１においては、各処理機能がコンピュータによって実行可能なプログラムの形態で記憶回路１０９へ記憶されている。Ｘ線制御回路１０５、絞り制御回路１０６及び処理回路１１０は、記憶回路１０９からプログラムを読み出して実行することで各プログラムに対応する機能を実現するプロセッサである。換言すると、各プログラムを読み出した状態の各回路は、読み出したプログラムに対応する機能を有することとなる。なお、図２においては単一の処理回路１１０にて、制御機能１１０ａ、表示制御機能１１０ｂ、受付機能１１０ｃ及び決定機能１１０ｄが実現するものとして説明したが、複数の独立したプロセッサを組み合わせて処理回路１１０を構成し、各プロセッサがプログラムを実行することにより機能を実現するものとしても構わない。
【００２５】
上記説明において用いた「プロセッサ」という文言は、例えば、ＣＰＵ（Central  Processing  Unit）、ＧＰＵ（Graphics  Processing  Unit）、あるいは、特定用途向け集積回路（Application  Specific  Integrated  Circuit;  ＡＳＩＣ）、プログラマブル論理デバイス（例えば、単純プログラマブル論理デバイス（Simple  Programmable  Logic  Device;  ＳＰＬＤ）、複合プログラマブル論理デバイス（Complex  Programmable  Logic  Device;  ＣＰＬＤ）、及びフィールドプログラマブルゲートアレイ（Field  Programmable  Gate  Array;  ＦＰＧＡ））などの回路を意味する。プロセッサは記憶回路１０９に記憶されたプログラムを読み出し実行することで機能を実現する。なお、記憶回路１０９にプログラムを記憶させる代わりに、プロセッサの回路内にプログラムを直接組み込むように構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図２における複数の構成要素を１つのプロセッサへ統合してその機能を実現するようにしてもよい。
【００２６】
以上、Ｘ線診断装置１の構成について説明した。かかる構成の下、本願に係るＸ線診断装置１は、撮影条件の設定における操作性を向上させる。具体的には、Ｘ線診断装置１は、以下詳細に説明する処理回路１１０による処理によって、撮影条件をワンアクションで設定することを可能とし、撮影条件の設定における操作性を向上させる。以下、第１の実施形態に係るＸ線診断装置１が行う処理について、詳細に説明する。
【００２７】
まず、表示制御機能１１０ｂは、撮影条件の項目ごとの条件値をディスプレイ１０７に表示させる。ここで、撮影条件の項目ごとの条件値は、現に設定されている撮影条件であり、例えば、Ｘ線制御回路１０５が有する記憶回路において管理される。表示制御機能１１０ｂは、例えば、Ｘ線制御回路１０５からの通知を受けることによって項目ごとの条件値を取得し、取得した条件値をディスプレイ１０７に表示させる。
【００２８】
ここで、表示制御機能１１０ｂが項目ごとに表示させる条件値について、図３を用いて説明する。図３は、第１の実施形態に係る条件値の表示について説明するための図である。例えば、表示制御機能１１０ｂは、図３に示すように、管電圧を示す項目Ｉ１の条件値「１２０ｋＶ」、管電流を示す項目Ｉ２の条件値「２５０ｍＡ」、及び、Ｘ線照射時間を示す項目Ｉ３の条件値「３２ｍｓｅｃ」を、それぞれ、ディスプレイ１０７に表示させる。なお、以下では、「ｋＶ」や「ｍＡ」、「ｍｓｅｃ」等の単位は省略して説明する。
【００２９】
なお、図３においては、管電圧を示す項目Ｉ１、管電流を示す項目Ｉ２及びＸ線照射時間を示す項目Ｉ３の条件値のみを示しているが、表示制御機能１１０ｂは、更に、Ｘ線照射タイミングやパルス幅など、撮影条件の種々の項目についての条件値を表示させることもできる。また、撮影条件の種々の項目のうち、表示制御機能１１０ｂが条件値を表示させる項目は任意である。即ち、表示制御機能１１０ｂは、撮影条件の種々の項目のうち少なくとも一つの項目についての条件値をディスプレイ１０７に表示させる。
【００３０】
ここで、操作者は、ディスプレイ１０７に表示された項目ごとの条件値を参照し、患者情報に対して、表示された条件値が適当であるか否かを判断する。表示された条件値が適当であると判断された場合、Ｘ線診断装置１は、表示された条件値において撮影を実行する。一方で、表示された条件値のうち少なくとも一つが適当でないと判断された場合、Ｘ線診断装置１は、条件値の設定を受け付ける。
【００３１】
以下、条件値の設定について、図４Ａ、図４Ｂ、図４Ｃ、図４Ｄ、図４Ｅ及び図４Ｆを用いて説明する。図４Ａ、図４Ｂ、図４Ｃ、図４Ｄ、図４Ｅ及び図４Ｆは、第１の実施形態に係る条件値の設定について説明するための図である。なお、図４Ａ、図４Ｂ、図４Ｃ、図４Ｄ及び図４Ｅにおいて、タッチパネルであるディスプレイ１０７に対して操作を行う操作者の右手を概念的に示す。
【００３２】
まず、受付機能１１０ｃは、条件値の設定を行う項目を指定する指定操作を受け付ける。例えば、図３に示す各項目の条件値のうち、項目Ｉ３の条件値「３２」が適当でないと操作者により判断された場合、受付機能１１０ｃは、条件値の設定を行う項目として項目Ｉ３を指定する指定操作を受け付ける。ここで、受付機能１１０ｃが受け付ける指定操作は、例えば、図４Ａに示すように、タッチパネルであるディスプレイ１０７に表示された項目Ｉ３の位置に操作者が触れる操作である。
【００３３】
一例を挙げると、受付機能１１０ｃは、ディスプレイ１０７に触れていない操作者が項目Ｉ３の位置に触れる操作を、項目Ｉ３を指定する指定操作として受け付ける。また、一例を挙げると、受付機能１１０ｃは、ディスプレイ１０７のうち項目Ｉ３の位置でない位置に触れた操作者が、指をディスプレイ１０７に触れた状態で滑らせ、項目Ｉ３の位置まで移動させる操作を、項目Ｉ３を指定する指定操作として受け付ける。なお、以下では、ディスプレイ１０７に触れた状態で指を滑らせる操作を、スライド操作とも記載する。
【００３４】
項目Ｉ３を指定する指定操作を受付機能１１０ｃが受け付けた場合、表示制御機能１１０ｂは、図４Ｂに示すように、表示領域Ｒ１をディスプレイ１０７に表示させる。ここで、図４Ｂに示す表示領域Ｒ１は、撮影条件の設定に用いられるＧＵＩである。また、図４Ｂに示す表示領域Ｒ１は、項目Ｉ３の位置を中心とする円環の形状の領域である。また、図４Ｂに示すように、表示領域Ｒ１に囲まれた領域には項目Ｉ３の条件値「３２」が表示され、操作者は、表示領域Ｒ１の表示後においても、項目Ｉ３の条件値を視認することができる。
【００３５】
また、表示領域Ｒ１には、複数のプリセット値が表示される。例えば、図４Ｂに示すように、表示領域Ｒ１には、「１１」、「１２」、「２３」、「３２」、「３７」、「４３」、「５４」、「６３」、「７２」及び「８０」の１０個のプリセット値が表示される。ここで、表示領域Ｒ１のプリセット値は、Ｘ線照射時間を示す項目Ｉ３について予め複数設定された設定値である。項目Ｉ３についてのプリセット値は、例えば、過去の検査において設定されていたＸ線照射時間の条件値などに基づいて、検査対象部位や検査内容ごとに予め設定され、記憶回路１０９に格納される。表示制御機能１１０ｂは、例えば、記憶回路１０９から項目Ｉ３について設定されたプリセット値を取得し、取得したプリセット値を表示する表示領域Ｒ１をディスプレイ１０７に表示させる。
【００３６】
ここで、プリセット値は、項目ごとに設定されている撮影条件の内容に基づいて設定される。例えば、Ｘ線照射時間を示す項目Ｉ３についてのプリセット値は、撮影対象部位や造影剤の有無、管電圧、管電流などの種々の撮影条件の内容に基づいて設定される。一例を挙げると、撮影対象部位が「下肢」である場合に「１１」〜「８０」の範囲でプリセット値が設定されるのに対し、撮影対象部位が「胸部」である場合には、Ｘ線が透過する部位がより厚くなり、照射するＸ線量を増加させる必要が生じるため、「５０」〜「１００」の範囲でプリセット値が設定される。なお、撮影条件の内容によらず、項目ごとに一定のプリセット値が設定される場合であってもよい。
【００３７】
また、表示制御機能１１０ｂは、操作者による視認性に応じた配置でプリセット値を表示させる場合であってもよい。例えば、図４Ｂに示すように、操作者の手によって表示領域Ｒ１の一部が隠れてしまうため、表示制御機能１１０ｂは、表示領域Ｒ１のうち、操作者の手と重なる位置を除く位置にプリセット値を表示させる。また、例えば、表示制御機能１１０ｂは、操作者が右手で操作を行うか左手で操作を行うかに応じて、表示領域Ｒ１のうち操作者の手と重なる位置を推定し、推定した位置を除く位置にプリセット値を表示させる。一例を挙げると、表示制御機能１１０ｂは、指定操作を受け付ける前の任意の時点で、操作者から利き手の設定を受け付けるためのＧＵＩを表示し、ＧＵＩを介して設定された操作者の利き手に応じて、表示領域Ｒ１のうち操作者の手と重なる位置を推定する。
【００３８】
また、表示制御機能１１０ｂは、指定操作により指定された項目の条件値に応じた配置でプリセット値を表示させる場合であってもよい。例えば、図４Ｂにおいて、指定された項目Ｉ３の条件値は「３２」であり、項目Ｉ３について設定された１０個のプリセット値は「１１」〜「８０」の範囲であり、いずれも２桁の数である。かかる場合、表示制御機能１１０ｂは、図４Ｂに示すように、２桁の数である１０個のプリセット値を表示領域Ｒ１に表示することができる。一方で、例えば、指定された項目の条件値が４桁の数である場合には、この項目について設定されるプリセット値も同様に４桁の数となる場合が多い。かかる場合に、４桁の数である１０個のプリセット値を表示領域Ｒ１に表示すれば、各プリセット値が重なり、見た目が煩雑となって、操作者がプリセット値を認識しにくくなる。そこで、表示制御機能１１０ｂは、煩雑にならないようにプリセット値を表示するため、例えば、５個のプリセット値を表示領域Ｒ１に表示する。
【００３９】
次に、操作者は、表示領域Ｒ１の複数のプリセット値のうち、項目Ｉ３の条件値として適当な値に近いプリセット値を判断する。例えば、項目Ｉ３の条件値として「５２」が適当であると判断した場合、操作者は、図４Ｂに示す複数のプリセット値のうち、「５４」が最も近いプリセット値であると判断する。次に、操作者は、ディスプレイ１０７に触れた状態の指を図４Ｂに示す位置から図４Ｃに示す位置まで移動させるスライド操作を実行し、受付機能１１０ｃは、プリセット値「５４」を選択する選択操作を受け付ける。そして、プリセット値「５４」が選択されることにより、図４Ｂの表示領域Ｒ１に囲まれた領域に示す条件値「３２」は、図４Ｃに示すように、「５４」まで一気に変更される。なお、以下では、選択操作のため表示領域Ｒ１に表示されたプリセット値に対して行われるスライド操作を、第１のスライド操作とも記載する。ここで、第１のスライド操作は、指定操作のためディスプレイ１０７に触れた操作者の指により行われる。即ち、指定操作と選択操作とは連続して行われる。
【００４０】
次に、受付機能１１０ｃは、選択操作によって選択されたプリセット値を調整する調整操作を受け付ける。例えば、項目Ｉ３の条件値として「５２」が適当であると操作者が判断し、選択操作においてプリセット値「５４」が選択されていた場合、受付機能１１０ｃは、選択されたプリセット値「５４」を「２」減少させる調整操作を受け付ける。
【００４１】
一例を挙げると、操作者は、まず、ディスプレイ１０７に触れた状態の指を、図４Ｃに示す位置から図４Ｄに示す位置まで、表示領域Ｒ１の円周に沿って移動させるスライド操作を実行する。かかるスライド操作により、受付機能１１０ｃは、図４Ｄに示すように、プリセット値「５４」を「１」減少させて「５３」とする調整操作を受け付ける。また、操作者は、ディスプレイ１０７に触れた状態の指を、図４Ｄに示す位置から図４Ｅに示す位置まで、表示領域Ｒ１の円周に沿って移動させるスライド操作を実行し、受付機能１１０ｃは、図４Ｅに示すように、プリセット値「５３」を「１」減少させて「５２」とする調整操作を受け付ける。
【００４２】
即ち、図４Ｄに示す位置及び図４Ｅに示す位置に指を順に移動させるスライド操作により、受付機能１１０ｃは、選択されたプリセット値「５４」を適当な条件値「５２」に調整する調整操作を受け付ける。なお、以下では、選択操作によって選択されたプリセット値を調整するため、表示領域Ｒ１において行われるスライド操作を、第２のスライド操作とも記載する。ここで、第２のスライド操作は、第１のスライド操作を行ったことにより表示領域Ｒ１内に移動した操作者の指により行われる。即ち、選択操作と調整操作とは連続して行われる。
【００４３】
また、図４Ｄ及び図４Ｅに示すように、受付機能１１０ｃは、円環の形状である表示領域Ｒ１の円周に沿って反時計回りに行われる第２のスライド操作によって、選択されたプリセット値を減少させる調整操作を受け付ける。また、受付機能１１０ｃは、円環の形状である表示領域Ｒ１の円周に沿って時計回りに行われる第２のスライド操作によって、選択された設定値を増加させる調整操作を受け付ける。なお、第２のスライド操作の方向と、設定値の増減との対応関係は任意である。
【００４４】
また、図４Ｄ及び図４Ｅにおいては、表示領域Ｒ１の円周に沿った第２のスライド操作において、移動前後の操作者の指の位置と表示領域Ｒ１の中心とを結ぶ２本の線が作る角（中心角）が約「３０°」変化した場合に、設定値が「１」増減される場合を示している。なお、中心角の変化量と設定値の変化量との対応関係は任意である。ここで、管電流やＸ線照射時間などの項目について設定できる値は、「１」刻みの値（連続値）ではなく、非連続な値（離散値）となる場合がある。かかる場合、受付機能１１０ｃは、例えば、表示領域Ｒ１の円周に沿って反時計回りに行われる第２のスライド操作により、選択された設定値をより小さい離散値へと順に変更する調整操作を受け付ける。また、受付機能１１０ｃは、例えば、表示領域Ｒ１の円周に沿って時計回りに行われる第２のスライド操作により、選択された設定値をより大きい離散値へと順に変更する調整操作を受け付ける。
【００４５】
また、選択操作を受け付けた後、表示制御機能１１０ｂは、表示領域Ｒ１に表示していた複数のプリセット値を、選択されたプリセット値が調整された複数の値に切り替えて表示する場合であってもよい。例えば、表示制御機能１１０ｂは、選択操作を受け付ける前においては、「１１」、「１２」、「２３」、「３２」、「３７」、「４３」、「５４」、「６３」、「７２」及び「８０」の１０個のプリセット値を表示領域Ｒ１に表示させる。次に、プリセット値「５４」を選択する選択操作を受け付けた場合、表示制御機能１１０ｂは、「４８」、「４９」、「５０」、「５１」、「５２」、「５３」、「５４」、「５５」、「５６」及び「５７」の１０個の値を、プリセット値「５４」が調整された複数の値として、表示領域Ｒ１に表示させる。そして、操作者は、適当な条件値（例えば、「５２」）が表示された位置まで指を移動する第２のスライド操作を実行し、受付機能１１０ｃは、選択されたプリセット値「５４」を「５２」に調整する調整操作を受け付ける。即ち、表示制御機能１１０ｂは、表示領域Ｒ１の複数のプリセット値を、選択されたプリセット値が調整された複数の値に切り替えて表示することにより、調整操作のため操作者が行う第２のスライド操作をサポートする場合であってもよい。
【００４６】
次に、第２のスライド操作が終了し、決定機能１１０ｄは、指定操作により指定された項目の条件値を、調整操作による調整後のプリセット値に決定する。ここで、第２のスライド操作は、例えば、操作者がディスプレイ１０７から指を離すことにより終了する。例えば、図４Ｅに示す状態で第２のスライド操作が終了した場合、決定機能１１０ｄは、図４Ｆに示すように、指定された項目Ｉ３の条件値を、調整操作による調整後のプリセット値「５２」に決定する。また、決定機能１１０ｄは、指定された項目Ｉ３の条件値が調整後のプリセット値「５２」に決定したことをＸ線制御回路１０５に通知する。また、指定された項目Ｉ３の条件値が決定した場合、表示制御機能１１０ｂは、表示領域Ｒ１の表示を終了する。
【００４７】
条件値の設定が終了した場合、制御機能１１０ａは、高電圧発生器１０１、Ｘ線管１０２、Ｘ線可動絞り１０３、Ｘ線検出器１０４、Ｘ線制御回路１０５及び絞り制御回路１０６を含む撮影系を制御して、Ｘ線画像の撮影を実行する。具体的には、制御機能１１０ａは、撮影の開始要求を受け付けると、Ｘ線制御回路１０５を制御することによって高電圧発生器１０１の動作を制御し、設定された条件値において、Ｘ線管１０２に高電圧を供給してＸ線を曝射する。また、制御機能１１０ａは、絞り制御回路１０６を制御することによって、Ｘ線可動絞り１０３の動作を制御し、Ｘ線の照射領域を制御する。また、制御機能１１０ａは、Ｘ線検出器１０４の動作を制御することによって被検体Ｐを透過したＸ線を検出し、画像データを収集する。また、制御機能１１０ａは、図示しない画像処理回路を制御し、収集した画像データに対して種々の画像処理を実行して、表示用のＸ線画像を生成する。また、表示制御機能１１０ｂは、生成された表示用のＸ線画像をディスプレイ１０７に表示する。
【００４８】
次に、Ｘ線診断装置１による処理の手順の一例を、図５を用いて説明する。図５は、第１の実施形態に係るＸ線診断装置１の処理の一連の流れを説明するためのフローチャートである。ステップＳ１０２は、制御機能１１０ａに対応するステップである。ステップＳ１０１及びステップＳ１０４は、表示制御機能１１０ｂに対応するステップである。ステップＳ１０３、ステップＳ１０５及びステップＳ１０６は、受付機能１１０ｃに対応するステップである。ステップＳ１０７は、決定機能１１０ｄに対応するステップである。
【００４９】
まず、処理回路１１０は、ディスプレイ１０７に撮影条件の項目ごとの条件値を表示させ（ステップＳ１０１）、条件値を参照した操作者からの入力操作を受け付けることにより、撮影条件の設定を行うか否かを判定する（ステップＳ１０２）。撮影条件の設定を行う場合（ステップＳ１０２肯定）、処理回路１１０は、ディスプレイ１０７に表示された撮影条件の項目のうち、設定を行う項目を指定する指定操作を操作者から受け付ける（ステップＳ１０３）。
【００５０】
指定操作を受け付けた場合、処理回路１１０は、指定された項目についての複数のプリセット値を表示する表示領域Ｒ１を表示させ（ステップＳ１０４）、指定操作と連続した第１のスライド操作により複数のプリセット値のうちいずれかを選択する選択操作を受け付ける（ステップＳ１０５）。次に、処理回路１１０は、第１のスライド操作と連続した第２のスライド操作により、選択操作によって選択されたプリセット値を調整する調整操作を受け付ける（ステップＳ１０６）。そして、処理回路１１０は、第２のスライド操作の終了により、調整操作による調整後のプリセット値を条件値として決定し（ステップＳ１０７）、再度ステップＳ１０１に移行する。また、撮影条件の設定を行わない場合（ステップＳ１０２否定）、処理回路１１０は、処理を終了する。
【００５１】
上述したように、第１の実施形態によれば、表示制御機能１１０ｂは、撮影条件の項目ごとの条件値と、項目ごとに予め複数設定されたプリセット値を表示する表示領域Ｒ１とをディスプレイ１０７に表示させる。受付機能１１０ｃは、項目を指定する指定操作と連続して、表示領域Ｒ１のプリセット値に対する第１のスライド操作により複数のプリセット値のうちいずれかを選択する選択操作を受け付け、第１のスライド操作と連続した第２のスライド操作により選択操作によって選択されたプリセット値を調整する調整操作を受け付ける。決定機能１１０ｄは、第２のスライド操作の終了により、指定操作により指定された項目の条件値を調整操作による調整後のプリセット値に決定する。従って、第１の実施形態に係るＸ線診断装置１は、操作者がディスプレイ１０７に指で触れてから離すまでの間に条件値を設定することを可能とし、撮影条件の設定における操作性を向上させることができる。即ち、Ｘ線診断装置１は、ワンアクションでの条件設定を可能とし、撮影条件の設定における操作性を向上させることができる。
【００５２】
また、第１の実施形態によれば、受付機能１１０ｃは、複数のプリセット値のうちいずれかを選択する選択操作を受け付け、選択操作によって選択されたプリセット値を調整する調整操作を受け付ける。従って、第１の実施形態に係るＸ線診断装置１は、例えば、Ｘ線照射時間の条件値「３２」を「５２」まで増加させる場合において、２０回のタップ操作等によることなく１アクションで設定を行うことを可能とし、撮影条件の設定を変更する際の操作性を向上させることができる。
【００５３】
また、第１の実施形態に係るＸ線診断装置１は、撮影条件の設定や管理、画像データの収集や表示、管理といった種々の機能を統合したコンソールにおいて、撮影条件の設定をワンアクションで受け付ける。従って、第１の実施形態に係るＸ線診断装置１は、操作コンソールのハードウェアスイッチによらずとも、撮影条件の設定を容易にし、コンソールの設置場所を削減することができる。
【００５４】
（第２の実施形態）
上述した第１の実施形態では、複数のプリセット値を表示する表示領域のみからなるＧＵＩに対する操作に基づいて、撮影条件の設定が行われる場合について説明した。これに対して、第２の実施形態では、表示領域と、条件値の変更操作を受け付けるための変更領域とからなるＧＵＩに対する操作に基づいて、撮影条件の設定が行われる場合について説明する。第２の実施形態に係るＸ線診断装置１は、図２に示した第１の実施形態に係るＸ線診断装置１と同様の構成を有し、表示制御機能１１０ｂ及び受付機能１１０ｃによる処理の一部が相違する。そこで、第１の実施形態において説明した構成と同様の構成を有する点については、図２と同一の符号を付し、説明を省略する。
【００５５】
まず、第２の実施形態に係る表示制御機能１１０ｂが表示させる表示領域及び変更領域
について、図６Ａ及び図６Ｂを用いて説明する。図６Ａ及び図６Ｂは、第２の実施形態に係る表示領域及び変更領域について説明するための図である。まず、表示制御機能１１０ｂは、撮影条件の項目ごとの条件値をディスプレイ１０７に表示させる。例えば、表示制御機能１１０ｂは、図６Ａに示すように、管電流を示す項目Ｉ４の条件値「２５０」、Ｘ線照射時間を示す項目Ｉ５の条件値「０．０３２」、被検体ＰとＸ線検出器１０４との距離（Patient−Imager  Distance：ＰＩＤ）を示す項目Ｉ６の条件値「１２０」、被検体Ｐの厚さを示す項目Ｉ７の条件値「１２０」をそれぞれ表示させる。
【００５６】
次に、受付機能１１０ｃは、各項目の条件値を参照した操作者から、設定を行う項目を指定する指定操作を受け付ける。例えば、受付機能１１０ｃは、図６Ａに示すように、タッチパネルであるディスプレイ１０７のうち項目Ｉ５の位置に触れる操作を受け付けることにより、撮影条件の設定を行う項目として、Ｘ線照射時間を示す項目Ｉ５を指定する指定操作を受け付ける。
【００５７】
項目Ｉ５を指定する指定操作を受け付けた場合、表示制御機能１１０ｂは、図６Ｂに示す表示領域Ｒ１及び変更領域Ｒ２をディスプレイ１０７に表示させる。ここで、図６Ｂに示す表示領域Ｒ１及び変更領域Ｒ２は、撮影条件の設定に用いられるＧＵＩである。また、図６Ｂに示すように、表示領域Ｒ１及び変更領域Ｒ２は円環の形状の領域であり、表示領域Ｒ１は変更領域Ｒ２を囲むように配置される。即ち、第２の実施形態に係るＧＵＩは、外側の輪である表示領域Ｒ１と、内側の輪である変更領域Ｒ２とからなる２輪の形状である。ここで、表示制御機能１１０ｂは、図６Ｂに示すように、ＧＵＩの輪郭を除く部分を透明で表示することにより、操作者は、ＧＵＩの表示後においても各項目の条件値を視認することができる。
【００５８】
また、表示制御機能１１０ｂは、図６Ｂに示す表示領域Ｒ１に、項目Ｉ５について事前に設定された複数のプリセット値を表示する。ここで、「１１」、「１２」、「２３」、「３２」、「３７」、「４３」、「５４」、「６３」、「７２」及び「８０」の１０個のプリセット値は、それぞれ、「０．０１１」、「０．０１２」、「０．０２３」、「０．０３２」、「０．０３７」、「０．０４３」、「０．０５４」、「０．０６３」、「０．０７２」及び「０．０８０」を意味している。即ち、表示領域Ｒ１には、各プリセット値の小数第二位の数及び小数第三位の数のみが表示されている。ここで、各プリセット値の一の位の数、小数点及び小数第一位の数は、操作者がプリセット値を選択する際の判断材料として必要性が小さく、これらを省略して表示することにより、表示制御機能１１０ｂは、表示領域Ｒ１へのプリセット値の表示が煩雑となることを回避することができる。
【００５９】
ここで、第２の実施形態に係る受付機能１１０ｃは、操作者から、外側の輪である表示領域Ｒ１に対する操作、及び内側の輪である変更領域Ｒ２に対する操作のうち少なくとも一方を受け付ける。まず、受付機能１１０ｃが変更領域Ｒ２に対する操作を受け付ける場合について、図７Ａ、図７Ｂ及び図７Ｃを用いて説明する。図７Ａ、図７Ｂ及び図７Ｃは、第２の実施形態に係る変更領域について説明するための図である。
【００６０】
例えば、受付機能１１０ｃは、変更領域Ｒ２におけるスライド操作により、指定操作によって指定された項目Ｉ５の条件値「０．０３２」を変更する変更操作を受け付ける。一例を挙げると、操作者は、項目Ｉ５の条件値として「０．０３４」が適当であると判断した場合、ディスプレイ１０７に触れた状態の指を、図６Ｂに示す位置から図７Ａに示す位置まで、変更領域Ｒ２の円周に沿って移動させるスライド操作を実行する。かかるスライド操作により、受付機能１１０ｃは、図７Ａに示すように、条件値「０．０３２」を「０．００１」増加させて「０．０３３」とする変更操作を受け付ける。また、操作者は、ディスプレイ１０７に触れた状態の指を、図７Ａに示す位置から図７Ｂに示す位置まで、変更領域Ｒ２の円周に沿って移動させるスライド操作を実行する。かかるスライド操作により、受付機能１１０ｃは、図７Ｂに示すように、条件値「０．０３３」を「０．００１」増加させて「０．０３４」とする変更操作を受け付ける。即ち、図７Ａに示す位置及び図７Ｂに示す位置に指を順に移動させるスライド操作により、受付機能１１０ｃは、指定された項目Ｉ５の条件値「０．０３２」を適当な条件値「０．０３４」に変更する変更操作を受け付ける。
【００６１】
そして、決定機能１１０ｄは、例えば、図７Ｃに示すように、操作者がディスプレイ１０７から指を離すことにより変更後の条件値を「０．０３４」に決定する。また、決定機能１１０ｄは、指定された項目Ｉ５の条件値が「０．０３４」に決定したことをＸ線制御回路１０５に通知する。また、指定された項目Ｉ５の条件値が決定した場合、表示制御機能１１０ｂは、表示領域Ｒ１及び変更領域Ｒ２の表示を終了する。
【００６２】
なお、以下では、指定操作によって指定された項目の条件値を変更するため、変更領域Ｒ２において行われるスライド操作を、第３のスライド操作とも記載する。ここで、第３のスライド操作は、指定操作を行ったことによりディスプレイ１０７に触れた操作者の指により行われる。即ち、指定操作と変更操作とは連続して行われる。また、表示制御機能１１０ｂがＧＵＩを透明で表示することにより、操作者は、ＧＵＩの表示後においても、各項目の条件値を視認することができる。従って、操作者は、図７Ａ及び図７Ｂに示すように、変更操作により変更された項目Ｉ５の条件値（現在の条件値）を確認しつつ、変更領域Ｒ２において第３のスライド操作を行うことができる。
【００６３】
また、受付機能１１０ｃは、図７Ａ及び図７Ｂに示すように、円環の形状である変更領域Ｒ２の円周に沿って時計回りに行われる第３のスライド操作によって、条件値を増加させる変更操作を受け付ける。また、受付機能１１０ｃは、円環の形状である変更領域Ｒ２の円周に沿って反時計回りに行われる第３のスライド操作によって、条件値を減少させる変更操作を受け付ける。なお、第３のスライド操作の方向と、条件値の増減との対応関係は任意である。
【００６４】
また、図７Ａ及び図７Ｂにおいては、変更領域Ｒ２の円周に沿った第３のスライド操作において、移動前後の操作者の指の位置と変更領域Ｒ２の中心とを結ぶ２本の線が作る角（中心角）が約「３０°」変化した場合に、設定値が「１」増減される場合を示している。なお、中心角の変化量と条件値の変化量との対応関係は任意である。ここで、指定された項目について設定できる条件値が離散値である場合、受付機能１１０ｃは、例えば、変更領域Ｒ２の円周に沿って時計回りに行われる第３のスライド操作により、選択された項目の条件値をより大きい離散値へと順に変更する変更操作を受け付ける。また、受付機能１１０ｃは、例えば、変更領域Ｒ２の円周に沿って反時計回りに行われる第３のスライド操作により、選択された項目の条件値をより小さい離散値へと順に変更する変更操作を受け付ける。
【００６５】
次に、受付機能１１０ｃが表示領域Ｒ１に対する操作を受け付ける場合について、図８Ａ、図８Ｂ及び図８Ｃを用いて説明する。図８Ａ、図８Ｂ及び図８Ｃは、第２の実施形態に係る表示領域Ｒ１について説明するための図である。
【００６６】
例えば、項目Ｉ５を指定する指定操作により図６Ｂに示す表示領域Ｒ１及び変更領域Ｒ２が表示され、操作者は、表示領域Ｒ１の複数のプリセット値のうち、項目Ｉ５の条件値として適当な値に近いプリセット値を判断する。例えば、項目Ｉ５の条件値として「０．０５３」が適当である場合、図８Ａに示す複数のプリセット値のうち、「５４」が最も近いプリセット値となる。かかる場合、操作者は、ディスプレイ１０７に触れた状態の指を図６Ｂに示す位置から図８Ａに示す位置まで移動させる第１のスライド操作を実行し、受付機能１１０ｃは、プリセット値「５４」を選択する選択操作を受け付ける。そして、図６Ｂ及び図８Ａに示すように、項目Ｉ５の条件値「０．０３２」は、プリセット値「０．０５４」まで一気に変更される。
【００６７】
ここで、受付機能１１０ｃは、例えば、図８Ａに示すように、内側の輪である変更領域Ｒ２の円周に沿った第３のスライド操作が行われることなく、外側の輪である表示領域Ｒ１のプリセット値に対する第１のスライド操作が行われた場合に、プリセット値を選択する選択操作を受け付ける。あるいは、受付機能１１０ｃは、内側の輪である変更領域Ｒ２の円周に沿った第３のスライド操作が行われたか否かに関わらず、外側の輪である表示領域Ｒ１のプリセット値に対する第１のスライド操作が行われた場合に、プリセット値を選択する選択操作を受け付ける。
【００６８】
なお、変更領域Ｒ２における第３のスライド操作が行われ、条件値を変更する変更操作を受け付けた場合、表示制御機能１１０ｂは、変更後の条件値に応じたプリセット値を表示させる場合であってもよい。例えば、表示制御機能１１０ｂは、項目Ｉ５の条件値が「０．０３２」である場合に、図６Ｂに示すように、「１１」〜「８０」の範囲で設定されたプリセット値を表示する。ここで、項目Ｉ５の条件値が変更され、項目Ｉ５の条件値が「０．０７５」となった場合、表示制御機能１１０ｂは、「５０」〜「１００」の範囲で設定されたプリセット値を表示する。即ち、表示領域Ｒ１のプリセット値は、指定された項目の現在の条件値に応じて動的に変更される場合であってもよい。
【００６９】
次に、受付機能１１０ｃは、選択操作によって選択されたプリセット値「０．０５４」を調整する調整操作を受け付ける。例えば、操作者は、ディスプレイ１０７に触れた状態の指を、図８Ａに示す位置から図８Ｂに示す位置まで移動させる第２のスライド操作を実行し、受付機能１１０ｃは、プリセット値「０．０５４」を「０．００１」減少させる調整操作を受け付ける。
【００７０】
そして、決定機能１１０ｄは、第２のスライド操作の終了により、指定操作により指定された項目の条件値を決定する。例えば、図８Ｂに示す状態において操作者がディスプレイ１０７から指を離すことにより第２のスライド操作が終了し、決定機能１１０ｄは、図８Ｃに示すように、項目Ｉ５の条件値を、調整操作による調整後のプリセット値「０．０５３」に決定する。また、決定機能１１０ｄは、指定された項目Ｉ５の条件値が「０．０５３」に決定したことをＸ線制御回路１０５に通知し、条件値「０．０５３」を設定する。また、指定された項目Ｉ５の条件値が決定した場合、表示制御機能１１０ｂは、表示領域Ｒ１及び変更領域Ｒ２の表示を終了する。
【００７１】
次に、Ｘ線診断装置１による処理の手順の一例を、図９を用いて説明する。図９は、第２の実施形態に係るＸ線診断装置１の処理の一連の流れを説明するためのフローチャートである。ステップＳ２０２は、制御機能１１０ａに対応するステップである。ステップＳ２０１及びステップＳ２０４は、表示制御機能１１０ｂに対応するステップである。ステップＳ２０３、ステップＳ２０５、ステップＳ２０６及びステップＳ２０７は、受付機能１１０ｃに対応するステップである。ステップＳ２０８は、決定機能１１０ｄに対応するステップである。
【００７２】
まず、処理回路１１０は、ディスプレイ１０７に撮影条件の項目ごとの条件値を表示させ（ステップＳ２０１）、条件値を参照した操作者からの入力操作を受け付けることにより、撮影条件の設定を行うか否かを判定する（ステップＳ２０２）。撮影条件の設定を行う場合（ステップＳ２０２肯定）、処理回路１１０は、ディスプレイ１０７に表示された撮影条件のうち設定を行う項目を指定する指定操作を操作者から受け付ける（ステップＳ２０３）。
【００７３】
指定操作を受け付けた場合、処理回路１１０は、指定された項目についての複数のプリセット値を表示する表示領域Ｒ１及び変更操作を受け付けるための変更領域Ｒ２を表示させる（ステップＳ２０４）。ここで、処理回路１１０は、指定操作と連続した第１のスライド操作により複数のプリセット値のうちいずれかを選択する選択操作を受け付けたか否かを判定する（ステップＳ２０５）。
【００７４】
選択操作を受け付けなかった場合（ステップＳ２０５否定）、処理回路１１０は、変更領域Ｒ２において、指定操作と連続した第３のスライド操作により、指定操作により指定された項目の条件値を変更する変更操作を受け付け（ステップＳ２０６）、変更後の条件値を決定した後、再度ステップＳ２０１に移行する。一方で、選択操作を受け付けた場合（ステップＳ２０５肯定）、処理回路１１０は、第１のスライド操作と連続した第２のスライド操作により、選択操作によって選択されたプリセット値を調整する調整操作を受け付ける（ステップＳ２０７）。そして、処理回路１１０は、第２のスライド操作の終了により、調整操作による調整後のプリセット値を条件値として決定し（ステップＳ２０８）、再度ステップＳ２０１に移行する。また、撮影条件の設定を行わない場合（ステップＳ２０２否定）、処理回路１１０は、処理を終了する。
【００７５】
上述したように、第２の実施形態によれば、表示制御機能１１０ｂは、項目ごとに予め複数設定されたプリセット値を表示する表示領域Ｒ１、及び、指定操作によって指定された項目の条件値を変更する変更操作を受け付けるための変更領域Ｒ２を表示させる。受付機能１１０ｃは、項目を指定する指定操作と連続して、表示領域Ｒ１のプリセット値に対する第１のスライド操作により複数のプリセット値のうちいずれかを選択する選択操作を受け付け、第１のスライド操作と連続した第２のスライド操作により選択操作によって選択されたプリセット値を調整する調整操作を受け付ける。また、受付機能１１０ｃは、指定操作と連続して、変更領域Ｒ２における第３のスライド操作により指定操作によって選択された項目の条件値を変更する変更操作を受け付ける。
【００７６】
従って、第２の実施形態に係るＸ線診断装置１は、指定操作によって指定された項目の条件値の設定を、表示領域Ｒ１又は変更領域Ｒ２において受け付けることができる。例えば、Ｘ線診断装置１は、条件値を「０．０３２」から「０．０５３」に変更する場合等、条件値を大幅に変更する際には、表示領域Ｒ１における操作により、プリセット値を経由した迅速な条件値の設定を可能とする。また、例えば、Ｘ線診断装置１は、条件値を「０．０３２」から「０．０３４」に変更する場合等、条件値を小幅に変更する際には、変更領域Ｒ２における操作により、条件値を直接変更する簡便な設定を可能とする。このように、Ｘ線診断装置１は、表示領域Ｒ１と変更領域Ｒ２との２輪のＧＵＩにおいて条件値の設定を受け付けることで、必要に応じた方法で条件値を設定することを可能とし、撮影条件の設定における操作性を向上させることができる。
【００７７】
（第３の実施形態）
上述した実施形態では、表示領域Ｒ１からなるＧＵＩ、又は表示領域Ｒ１及び変更領域Ｒ２からなるＧＵＩに対する操作に基づく条件値の設定について説明した。これに対して、第３の実施形態では、上述したＧＵＩに対する操作に基づく条件値の設定に加え、項目ごとの条件値に対するフリック操作に基づいて、条件値の設定が行われる場合について説明する。第３の実施形態に係るＸ線診断装置１は、図２に示した第１の実施形態に係るＸ線診断装置１と同様の構成を有し、受付機能１１０ｃによる処理の一部が相違する。そこで、第１の実施形態において説明した構成と同様の構成を有する点については、図２と同一の符号を付し、説明を省略する。
【００７８】
フリック操作による条件値の設定について、図１０Ａ及び図１０Ｂを用いて説明する。図１０Ａ及び図１０Ｂは、第３の実施形態に係るフリック操作について説明するための図である。まず、表示制御機能１１０ｂは、撮影条件の項目ごとの条件値をディスプレイ１０７に表示させる。例えば、表示制御機能１１０ｂは、図１０Ａに示すように、管電流を示す項目Ｉ４の条件値「２５０」、Ｘ線照射時間を示す項目Ｉ５の条件値「０．０３２」、ＰＩＤを示す項目Ｉ６の条件値「１２０」、被検体Ｐの厚さを示す項目Ｉ７の条件値「１２０」をそれぞれ表示させる。
【００７９】
次に、受付機能１１０ｃは、各項目の条件値を参照した操作者から、設定を行う項目に対するフリック操作を受け付ける。例えば、図１０Ａに示す項目Ｉ５の条件値は「０．０３３」が適切であると判断した場合、操作者は、図１０Ａに示すように、ディスプレイ１０７の項目Ｉ５の位置に指で触れる。次に、操作者は、図１０Ｂに示すように、ディスプレイ１０７に触れた指を、項目Ｉ５の位置から上方向へ素早く動かす。なお、以下では、図１０Ｂに示すように、ディスプレイ１０７に触れた指を素早く動かす操作、あるいはディスプレイ１０７上で指を弾く操作を、単に、フリック操作と記載する。
【００８０】
そして、受付機能１１０ｃは、図１０Ｂに示すフリック操作により、フリック操作の対象となった項目Ｉ５の条件値を「０．００１」増加させる変更操作を受け付ける。また、例えば、操作者が、ディスプレイ１０７の項目Ｉ５の位置に触れた指を、項目Ｉ５の位置から下方向へ素早く動かすフリック操作を行った場合、受付機能１１０ｃは、フリック操作の対象となった項目Ｉ５の条件値を「０．００１」減少させる変更操作を受け付ける。
【００８１】
上述したように、第３の実施形態によれば、受付機能１１０ｃは、項目ごとの条件値に対するフリック操作により、フリック操作の対象となった項目の条件値を変更する変更操作を受け付ける。従って、第３の実施形態に係るＸ線診断装置１は、例えば、Ｘ線診断装置１は、条件値を「０．０３２」から「０．０３３」に変更する場合等、条件値を小幅に変更する際には、フリック操作により、条件値を直接変更する簡便な設定を可能とすることができる。また、Ｘ線診断装置１は、例えば、表示領域Ｒ１における操作により条件値を設定した場合において、設定後の条件値を、フリック操作により簡便に調整することができる。
【００８２】
（第４の実施形態）
上述した実施形態では、入力回路１０８がタッチパネルであるディスプレイ１０７を有し、ディスプレイ１０７に対する操作に基づいて、条件値の設定が行われる場合について説明した。これに対して、第４の実施形態では、入力回路１０８が有するマウスの操作に基づいて、条件値の設定が行われる場合について説明する。第４の実施形態に係るＸ線診断装置１は、図２に示した第１の実施形態に係るＸ線診断装置１と同様の構成を有し、受付機能１１０ｃによる処理の一部が相違する。そこで、第１の実施形態において説明した構成と同様の構成を有する点については、図２と同一の符号を付し、説明を省略する。
【００８３】
まず、表示制御機能１１０ｂは、例えば、図３に示すように、各項目の条件値をディスプレイ１０７に表示する。ここで、操作者は、条件値の設定を行う項目の位置にマウスカーソルを移動させてマウスのボタンを押し、受付機能１１０ｃは、項目を指定する指定操作を受け付ける。また、指定操作を受け付けた場合、表示制御機能１１０ｂは、複数のプリセット値を表示する表示領域Ｒ１をディスプレイ１０７に表示させる。
【００８４】
次に、操作者は、複数のプリセット値のうち指定した項目の条件値として適当な値に近いプリセット値を判断し、判断したプリセット値の位置まで、マウスのボタンを押した状態のままマウスカーソルを移動させる。そして、受付機能１１０ｃは、表示領域Ｒ１の複数のプリセット値のうち、マウスカーソルが重ねられたプリセット値を選択する選択操作を受け付ける。更に、操作者は、表示領域Ｒ１において、マウスのボタンを押した状態のままマウスカーソルを移動させ、受付機能１１０ｃは、選択操作によって選択されたプリセット値を調整する調整操作を受け付ける。そして、操作者がマウスのボタンから指を離すことにより、決定機能１１０ｄは、指定操作により指定された項目の条件値を調整操作による調整後のプリセット値に決定する。
【００８５】
上述したように、Ｘ線診断装置１は、マウスの操作によっても、タッチパネルの操作と同様に、条件値の設定が可能である。例えば、マウスのボタンを押す操作はタッチパネルに触れる操作に対応する。また、例えば、マウスのボタンを押した状態のままマウスカーソルを移動させる操作は、タッチパネルに触れた状態の指を移動させる操作に対応する。即ち、操作者がマウスのボタンを押した状態のままマウスカーソルを移動させることにより、受付機能１１０ｃは、上述した第１のスライド操作、第２のスライド操作及び第３のスライド操作を含む種々のスライド操作の入力を受け付けることができる。また、例えば、マウスのボタンから指を離す操作はタッチパネルから指を離す操作に対応する。
【００８６】
即ち、ＯＮ操作（タッチパネルに触れる操作やマウスのボタンを押す操作など、画面上の位置を指定する操作）、スライド操作（タッチパネルに触れた状態の指を移動させる操作やマウスのボタンを押した状態のままマウスカーソルを移動させる操作など、入力手段を移動させる操作）、ＯＦＦ操作（タッチパネルから指を離す操作やマウスのボタンから指を離す操作など、スライド操作を終了する操作）が可能である限り、入力回路１０８が備えるデバイスは任意である。そして、第４の実施形態に係るＸ線診断装置１は、任意のデバイスを介したワンアクションでの条件値の設定を可能とし、撮影条件の設定における操作性を向上させることができる。
【００８７】
（第５の実施形態）
さて、これまで第１〜第４の実施形態について説明したが、上述した実施形態以外にも、種々の異なる形態にて実施されてよいものである。  
【００８８】
上述した実施形態では、表示制御機能１１０ｂが、受付機能１１０ｃが指定操作を受け付けた場合に、指定操作により指定された項目について設定された複数のプリセット値を表示する表示領域Ｒ１を表示させる場合について説明した。しかしながら、実施形態はこれに限定されるものではなく、例えば、表示制御機能１１０ｂは、受付機能１１０ｃが指定操作を受け付けたか否かに関わらず、予め表示領域Ｒ１を表示させる場合であってもよい。
【００８９】
また、上述した実施形態では、表示領域Ｒ１が円環の形状である場合について説明した。しかしながら実施形態はこれに限定されるものではない。ここで、図１１を用いて、表示領域Ｒ１の形状の一例について説明する。図１１は、第５の実施形態に係る表示領域Ｒ１について説明するための図である。例えば、表示制御機能１１０ｂは、まず、図３に示すように、各項目の条件値をディスプレイ１０７に表示させ、受付機能１１０ｃは、項目Ｉ３を指定する指定操作を受け付ける。ここで、表示制御機能１１０ｂは、図１１に示すように、円環の一部の形状である表示領域Ｒ１を表示させる。また、受付機能１１０ｃは、図１１に示す表示領域Ｒ１のプリセット値に対する第１のスライド操作により、プリセット値を選択する選択操作を受け付ける。また、受付機能１１０ｃは、図１１に示す表示領域Ｒ１における第２のスライド操作により、選択されたプリセット値を調整する調整操作を受け付ける。そして、決定機能１１０ｄは、項目Ｉ３の条件値を調整後のプリセット値に決定する。
【００９０】
上述したように、Ｘ線診断装置１は、表示領域Ｒ１の形状が図１１に示す形状であっても、表示領域Ｒ１の形状が円環の形状である場合と同様に条件値の設定を行うことができる。即ち、表示領域Ｒ１の形状は、図１１に示す形状や円環の形状を含む種々の変形が可能であり、例えば、半円形や棒状であってもよい。また、変更領域Ｒ２についても同様の変形が可能である。
【００９１】
また、上述した実施形態では、撮影条件の項目に対する指定操作があった場合、指定された項目の位置に表示領域Ｒ１が表示される場合について説明したが、実施形態はこれに限定されるものではない。例えば、表示制御機能１１０ｂは、各項目の条件値の表示と重ならない位置に表示領域Ｒ１を表示する場合であってもよい。また、マウス操作により指定操作が行われる場合、円環の形状である表示領域Ｒ１の内側にマウスカーソルの位置が移動される場合であってもよい。
【００９２】
また、上述した実施形態では、表示領域Ｒ１のプリセット値を選択する選択操作の後、選択したプリセット値を調整する調整操作を受け付ける場合について説明したが、実施形態はこれに限定されるものではない。例えば、指定した項目の条件値として適当な値が、表示領域Ｒ１にプリセット値として表示されていた場合、Ｘ線診断装置１は、指定された項目の条件値を選択操作により選択されたプリセット値に決定し、調整操作を受け付けない場合であってもよい。一例を挙げると、まず、ディスプレイ１０７に指で触れた操作者が表示領域Ｒ１のプリセット値に対する第１のスライド操作を行い、Ｘ線診断装置１は、プリセット値を選択する選択操作を受け付ける。ここで、操作者が表示領域Ｒ１における第２のスライド操作を行うことなくディスプレイ１０７から指を離した場合、Ｘ線診断装置１は、指定された項目の条件値を、選択操作により選択されたプリセット値に決定する。
【００９３】
また、上述した実施形態では、医用画像診断装置がＸ線診断装置であり、医用画像データの収集条件として撮影条件が設定される場合について説明したが、実施形態はこれに限定されるものではない。例えば、実施形態に係る医用画像診断装置は、超音波診断装置や、Ｘ線ＣＴ（Computed  Tomography）装置、ＭＲＩ（Magnetic  Resonance  Imaging）装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置等であってもよい。
【００９４】
例えば、実施形態に係る医用画像診断装置が超音波診断装置である場合、医用画像データの収集条件として、フィルタの通過帯域や音速、速度レンジ、ゲイン、カラーゲイン、フレームレート、超音波の周波数、超音波の位相（０°〜３６０°）、音圧、視野深度、フォーカス深さ、画角、走査線密度（関心領域（ＲＯＩ：Region  Of  Interest）内の走査線数、又は視野内の走査線数）、ダイナミックレンジ、ステアリング角度（走査線の角度）、操作面の回転角度（０°〜１８０°又は０°〜３６０°）などが設定される。
【００９５】
ここで、フィルタの通過帯域は、例えば、ノイズの除去を目的とし、一定の周波数の範囲として設定される。また、音速は、撮影対象である被検体の体内組織の平均音速として設定された速度（音速値）である。また、速度レンジは、ドプラモードでどの範囲の速度を観察するかを決める値であり、例えば、最大速度及び最低速度が設定される。また、ゲイン及びカラーゲインは、画像全体の明るさや色を決める値である。そして、これら超音波画像データの収集条件の項目ごとの条件値は、上述した撮影条件の項目ごとの条件値と同様にして設定することができる。
【００９６】
また、上述した実施形態では、医用画像データの収集条件（特に、管電流や管電圧、Ｘ線照射時間等の撮影条件）の設定について説明したが、実施形態はこれに限定されるものではない。例えば、実施形態に係る医用画像診断装置は、ＳＩＤ（Source  Image  receptor  Distance）やＰＩＤ、被写体厚（被検体Ｐの厚さ）等の画像データに付帯される条件、ウィンドウ幅、ウィンドウレベル等の処理条件の項目についても、上述した撮影条件の項目ごとの条件値と同様にして設定することができる。ここで、ＳＩＤやＰＩＤ、被写体厚等の画像データに付帯される条件、ウィンドウ幅、ウィンドウレベル等の処理条件は、画像データの収集と直接的には関係しないものの、撮影後に画像を適切に表示するために用いるパラメータである。即ち、実施形態に係る医用画像診断装置は、上述したＧＵＩにおいて、画像データの収集や管理、表示を含む種々の処理に係る条件を、ワンアクションで設定することを可能とする。
【００９７】
また、上述した実施形態では、医用画像診断装置が医用画像データの収集条件を設定する場合を一例として説明したが、実施形態はこれに限定されるものではない。例えば、項目ごとの条件値と、項目ごとに予め複数設定されたプリセット値を表示する表示領域Ｒ１とをディスプレイ１０７に表示させる表示制御機能１１０ｂと、項目を指定する指定操作と連続して、表示領域Ｒ１のプリセット値に対する第１のスライド操作により複数のプリセット値のうちいずれかを選択する選択操作を受け付け、第１のスライド操作と連続した第２のスライド操作により選択操作によって選択されたプリセット値を調整する調整操作を受け付ける受付機能１１０ｃと、第２のスライド操作の終了により、指定操作により指定された項目の条件値を調整操作による調整後のプリセット値に決定する決定機能１１０ｄとを実行する処理回路１１０を表示装置が有する場合であってもよい。かかる場合、表示装置は、処理回路１１０を実行することにより、項目ごとの条件値をワンアクションで設定することを可能とする。また、かかる表示装置は、医用画像診断装置による処理に係る条件に限らず、種々の条件をワンアクションで設定することを可能とする。
【００９８】
第１〜第５の実施形態に係る各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。更に、各装置にて行われる各処理機能は、その全部又は任意の一部が、ＣＰＵ及び当該ＣＰＵにて解析実行されるプログラムにて実現され、あるいは、ワイヤードロジックによるハードウェアとして実現されうる。
【００９９】
また、第１〜第５の実施形態で説明した制御方法は、予め用意された制御プログラムをパーソナルコンピュータやワークステーション等のコンピュータで実行することによって実現することができる。この制御プログラムは、インターネット等のネットワークを介して配布することができる。また、この制御プログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１００】
以上説明した少なくとも一つの実施形態によれば、条件の設定における操作性を向上させることができる。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
１  Ｘ線診断装置
１１０  処理回路
１１０ａ  制御機能
１１０ｂ  表示制御機能
１１０ｃ  受付機能
１１０ｄ  決定機能
【図１】
2018033552.tif 000003
【図２】
2018033552.tif 000004
【図３】
2018033552.tif 000005
【図４Ａ】
2018033552.tif 000006
【図４Ｂ】
2018033552.tif 000007
【図４Ｃ】
2018033552.tif 000008
【図４Ｄ】
2018033552.tif 000009
【図４Ｅ】
2018033552.tif 000010
【図４Ｆ】
2018033552.tif 000011
【図５】
2018033552.tif 000012
【図６Ａ】
2018033552.tif 000013
【図６Ｂ】
2018033552.tif 000014
【図７Ａ】
2018033552.tif 000015
【図７Ｂ】
2018033552.tif 000016
【図７Ｃ】
2018033552.tif 000017
【図８Ａ】
2018033552.tif 000018
【図８Ｂ】
2018033552.tif 000019
【図８Ｃ】
2018033552.tif 000020
【図９】
2018033552.tif 000021
【図１０Ａ】
2018033552.tif 000022
【図１０Ｂ】
2018033552.tif 000023
【図１１】
2018033552.tif 000024